【手続補正書】
【提出日】平成24年9月10日(2012.9.10)
【手続補正１】
【補正対象書類名】特許請求の範囲
【補正対象項目名】全文
【補正方法】変更
【補正の内容】
【特許請求の範囲】
【請求項１】
内部にエマルジョン化する液体を収容するためのタンクと、前記タンクの液体内に備えられるものであって前記タンク内の壁面に対して１０ｃｍ以内の距離で吐出口から液体を噴射させて液体を乳化させるための混合用ノズルと、前記タンクの液体内に備えられるものであって噴射口から噴射した液体を前記タンク内の液体に向けて噴射させて前記タンク内の液体を混合させるための攪拌用ノズルと、一端を前記タンク内と連絡すると共に他端を前記混合用ノズル並びに前記攪拌用ノズルと連絡する循環通路と、前記循環通路の途中に備えられるものであって前記空間内の液体を前記混合用ノズル及び前記攪拌用ノズルに向けて移動させるための移送手段と、を有することを特徴とするエマルジョン燃料の乳化促進装置。
【請求項２】
前記混合用ノズルの前記吐出口と前記タンクの前記壁面との距離を０．７ｃｍ〜５ｃｍとしたことを特徴とする請求項１記載のエマルジョン燃料の乳化促進装置。
【請求項３】
前記混合用ノズルが、ハウジングと、前記ハウジングに内に形成されるものであって前記吐出口と連絡する混合用空間と、前記循環通路からの液体を導入するためのものであって前記ハウジングに形成される導入空間と、前記導入空間に導入された液体を前記混合用空間に噴射するための噴射口と、前記ハウジングに形成されるものであって前記混合用空間と前記ハウジングの外部とを連絡する外部連絡口と、を有することを特徴とする請求項１または２記載のエマルジョン燃料の乳化促進装置。
【請求項４】
前記攪拌用ノズルが、基部と、前記循環通路からの液体を導入するためのものであって前記基部に形成される導入空間と、前記導入空間に導入された液体を前記タンク内の液体に向けて噴射するための噴射口と、前記基部と間隔を開けて備えられるものであって前記噴射口から噴射される液体を内部空間に導くための誘導筒と、前記噴射口と前記誘導筒の前記内部空間との間に形成するものであって前記基部や前記誘導筒の外部と連絡する液体導入空間とを有することを特徴とする請求項１乃至３のいずれか１項記載のエマルジョン燃料の乳化促進装置。
【請求項５】
前記循環通路が、一端を前記タンク内と連絡するものであって途中に前記ポンプを備えた主循環通路と、前記主循環通路の他端に備えられる分岐手段と、一端を前記分岐手段と連絡し他端を前記混合用ノズルと連絡する第１分岐循環通路と、一端を前記分岐手段と連絡し他端を前記攪拌用ノズルと連絡する第２分岐循環通路とから成ることを特徴とする請求項１乃至４のいずれか１項記載のエマルジョン燃料の乳化促進装置。
【請求項６】
前記タンクの内部に上部を開口した小タンクを備え、その小タンク内に前記混合用ノズルを備え、前記小タンクの内壁を前記タンク内の前記壁面とすることを特徴とする請求項５記載のエマルジョン燃料の乳化促進装置。
【請求項７】
タンクの外部に、燃料を収容するための燃料タンクと、加工水を収容するための水タンクと、植物油を収容するための植物油タンクとを備え、前記燃料タンクは途中に燃料用開閉弁を備えた燃料供給通路と連絡し、前記水タンクは途中に水用開閉弁を備えた水供給通路と連絡し、前記植物油タンクは途中に植物油用開閉弁を備えた植物油供給通路と連絡し、前記水供給通路と前記燃料供給通路と前記植物油供給通路とに一端を連絡し他端を前記混合用ノズルの前記外部連絡口と連絡する外部連絡通路を設けたことを特徴とする請求項５記載のエマルジョン燃料の乳化促進装置。
【請求項８】
前記植物油をひまし油とひまわり油と菜種油と米油のうちの少なくとも１つからなることを特徴とする請求項７記載のエマルジョン燃料の乳化促進装置。
【請求項９】
前記加工水がクラスターを小さく処理した水であることを特徴とする請求項７または８記載のエマルジョン燃料の乳化促進装置。
【請求項１０】
前記加工水が溶存酸素か活性水素のうちの少なくとも１つを含ませるよう処理した水であることを特徴とする請求項７または８記載のエマルジョン燃料の乳化促進装置。
【請求項１１】
前記加工水がイオン交換樹脂とトルマリンと火成岩のうち二酸化珪素を多く含む岩石との順に通過させて成る水か、イオン交換樹脂と火成岩のうち二酸化珪素を多く含む岩石とトルマリンとのを通過させて成る水かのいずれかの水としたことを特徴とする請求項７または８記載のエマルジョン燃料の乳化促進装置。
【請求項１２】
前記加工水を、火成岩のうち二酸化珪素を多く含む岩石に循環通過させた水としたことを特徴とする請求項１１記載のエマルジョン燃料の乳化促進装置。
【請求項１３】
前記タンクに前記タンク内の液体の液面を検知する下限センサと上限センサとを取付けたことを特徴とする請求項７記載のエマルジョン燃料の乳化促進装置。
【請求項１４】
タンク内にエマルジョン化する液体を入れ、前記タンク内の液面下において前記タンク内の壁面に対して１０ｃｍ以内の距離に吐出口を対向させて混合用ノズルを備えると共に、前記タンク内の液面下に攪拌用ノズルを備え、前記混合用ノズルへは前記タンクの外部を循環する循環通路を経由した液体を移送手段の圧力で導入し、前記混合用ノズルの前記吐出口から前記タンク内の壁面に向けて噴射される液体を前記吐出口と前記壁面との間に存在する液体と衝突させることで互いに衝突する液体同士を乳化させると共に、前記攪拌用ノズルへは前記タンクの外部を循環する循環通路を経由した液体を移送手段の圧力で導入し、前記攪拌用ノズルから噴射される液体で前記タンク内の液体を攪拌することを特徴とするエマルジョン燃料の乳化促進方法。
【請求項１５】
前記混合用ノズルの前記吐出口と前記タンクの前記壁面との距離を０．７ｃｍ〜５ｃｍとしたことを特徴とする請求項１４記載のエマルジョン燃料の乳化促進方法。
【請求項１６】
前記混合用ノズルが、ハウジングと、前記ハウジングに内に形成されるものであって前記吐出口と連絡する混合用空間と、前記循環通路からの液体を導入するためのものであって前記ハウジングに形成される導入空間と、前記導入空間に導入された液体を前記混合用空間に噴射するための噴射口と、前記ハウジングに形成されるものであって前記混合用空間と前記ハウジングの外部とを連絡する外部連絡口とを有することを特徴とする請求項１４または１５記載のエマルジョン燃料の乳化促進方法。
【請求項１７】
前記攪拌用ノズルが、基部と、前記循環通路からの液体を導入するためのものであって前記基部に形成される導入空間と、前記導入空間に導入された液体を前記タンク内の液体に向けて噴射するための噴射口と、前記基部と間隔を開けて備えられるものであって前記噴射口から噴射される液体を内部空間に導くための誘導筒と、前記噴射口と前記誘導筒の前記内部空間との間に形成するものであって前記基部や前記誘導筒の外部と連絡する液体導入空間とを有することを特徴とする請求項１４乃至１６のいずれか１項記載のエマルジョン燃料の乳化促進装置。
【請求項１８】
前記タンクの内部に上部に開口部を形成した小タンクを備え、その小タンク内に前記混合用ノズルを備え、前記小タンクの内壁を前記タンク内の前記壁面とすることを特徴とする請求項１７記載のエマルジョン燃料の乳化促進方法。
【請求項１９】
燃料を収容した燃料タンクと、加工水を収容するための水タンクと、植物油を収容するための植物油タンクとを備え、タンク内の液体が減少した際に、前記混合用ノズルの前記外部連絡口に、燃料と加工水と植物油とを導入することを特徴とする請求項１６記載のエマルジョン燃料の乳化促進方法。
【請求項２０】
前記植物油をひまし油とひまわり油と菜種油と米油のうちの少なくとも１つからなることを特徴とする請求項１９記載のエマルジョン燃料の乳化促進方法。
【請求項２１】
前記加工水がクラスターを小さく処理した水であることを特徴とする請求項１９または２０記載のエマルジョン燃料の乳化促進方法。
【請求項２２】
前記加工水が溶存酸素か活性水素のうちの少なくとも１つを含ませるよう処理した水であることを特徴とする請求項１９または２０記載のエマルジョン燃料の乳化促進方法。
【請求項２３】
前記加工水が、イオン交換樹脂とトルマリンと火成岩のうち二酸化珪素を多く含む岩石との順に通過させて成る水か、イオン交換樹脂と火成岩のうち二酸化珪素を多く含む岩石とトルマリンとのを通過させて成る水かのいずれかの水としたことを特徴とする請求項１９または２０記載のエマルジョン燃料の乳化促進方法。
【請求項２４】
前記加工水を、火成岩のうち二酸化珪素を多く含む岩石に循環通過させた水としたことを特徴とする請求項２３記載のエマルジョン燃料の乳化促進方法。